Podtech/llm-jp-corpus-v4-ja_patent huggingface dataset:
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
収音機器と放音機器とを含む音響系で発生するハウリングを抑制する装置であって、
前記放音機器から前記収音機器に到達する帰還音を示す推定信号を生成する推定手段と、
前記推定信号を調整する調整手段と、
前記収音機器から前記放音機器に至る音響信号の周波数スペクトルから、前記調整手段による調整後の推定信号の周波数スペクトルを減算するスペクトル減算手段と
を具備するハウリング抑制装置。
【請求項２】
前記調整手段は、前記推定信号の強度を調整する
請求項１のハウリング抑制装置。
【請求項３】
前記調整手段は、前記推定信号を遅延させる
請求項１または請求項２のハウリング抑制装置。
【請求項４】
前記推定手段は、帰還音を表す推定信号を、前記収音機器から前記放音機器に至る音響信号から減算する演算手段と、前記演算手段による減算後の音響信号が最小となるように前記推定信号を特定する適応フィルタとを含み、
前記スペクトル減算手段は、前記演算手段による減算後の音響信号の周波数スペクトルから前記調整手段による調整後の推定信号の周波数スペクトルを減算する
請求項１から請求項３の何れかのハウリング抑制装置。
【請求項５】
前記推定手段は、帰還音を表す推定信号を、前記収音機器から前記放音機器に至る音響信号から減算する演算手段と、前記演算手段による減算後の音響信号が最小となるように前記推定信号を特定する適応フィルタとを含み、
前記スペクトル減算手段は、前記演算手段による減算前の音響信号の周波数スペクトルから前記調整手段による調整後の推定信号の周波数スペクトルを減算する
請求項１から請求項３の何れかのハウリング抑制装置。
【請求項６】
ハウリング周波数を特定する周波数特定手段と、
前記音響信号のうち前記ハウリング周波数を含む周波数帯域の成分を抑制するフィルタと
を具備する請求項１から請求項５の何れかのハウリング抑制装置。
【手続補正２】
【補正対象書類名】明細書
【補正対象項目名】発明の名称
【補正方法】変更
【補正の内容】
【発明の名称】ハウリング抑制装置
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
基板上に設けられた複数の導体配線のうち、少なくとも１つの導体配線上に発光素子を載置し、該発光素子と前記複数の導体配線のうち、いずれかの導体配線とを電気的に接続する第１の工程と、
前記基板上に、前記発光素子からの光を反射する光反射樹脂を、前記発光素子が載置された前記導体配線の一部と前記導体配線から露出された基板表面とを被覆するとともに前記発光素子の周囲を取り囲むように形成する第２の工程と、
前記光反射樹脂を硬化後に、前記発光素子を被覆するよう封止部材を形成する第３の工程と、
を有することを特徴とする発光素子の製造方法。
【請求項２】
前記光反射樹脂は、樹脂吐出装置から液体樹脂を吐出して形成される請求項１記載の発光装置の製造方法。
【請求項３】
前記樹脂吐出装置は、液体樹脂を吐出ながら基板上を移動する請求項２記載の発光装置の製造方法。
【請求項４】
前記第３の工程で形成される封止部材を硬化後、前記基板を分割する第４の工程を有し、
前記樹脂吐出装置は、前記第４の工程における基板の分割位置上を、液体樹脂を吐出ながら通過するよう移動する請求項２又は請求項３記載の発光装置の製造方法。
【請求項５】
前記樹脂吐出装置は、前記第４の工程における基板の分割位置から離間した領域上を移動するよう移動する請求項２乃至請求項４のいずれか１つに記載の発光装置の製造方法。
【請求項６】
前記樹脂吐出装置は、第１の光反射樹脂を形成するように前記基板上を縦方向又は横方向に向かって移動し、次いで、前記第１の光反射樹脂と少なくとも一部が接する第２の光反射樹脂を形成するように、前記第１の光反射樹脂の上を通過するよう移動する請求項２乃至請求項５のいずれか１つに記載の発光装置の製造方法。
【請求項７】
前記樹脂吐出装置は、静止した状態で液体樹脂を吐出し、移動時には吐出を中断する請求項１又は請求項２記載の発光装置の製造方法。
【請求項８】
前記第１の光反射樹脂と前記第２の光反射樹脂は、前記第４の工程における分割位置から離間した位置で接するように形成される請求項６又は請求項７記載の発光装置の製造方法。
【請求項９】
前記光反射樹脂は、前記発光素子の上部を被覆するとともにその周辺に開口部を有するマスクを用い、該開口部から光反射樹脂を注入して形成する請求項１記載の発光装置の製造方法。
【請求項１０】
前記第１の工程は、導電性ワイヤを用いて接続されており、前記第２の工程は、前記導電性ワイヤの少なくとも一部を被覆するように形成される請求項１乃至請求項９のいずれか１つに記載の発光装置の製造方法。
【請求項１１】
前記第１の工程は、保護素子を載置し、前記導体配線と該保護素子とを電気的に接続する工程を含み、
前記第２の工程は、前記保護素子を被覆するように形成される請求項１乃至請求項１０のいずれか１つに記載の発光装置の製造方法。
【請求項１２】
前記第１の光反射樹脂と第２の光反射樹脂は、前記保護素子の上部で重なるように形成される請求項１１記載の発光装置の製造方法。
【請求項１３】
請求項１乃至請求項１２のいずれか１つの製造方法によって得られる発光装置。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
搬送される原稿の画像を読取る画像読取部と、
該画像読取部を制御する画像処理部と、
原稿に印刷処理を施す複数の印刷部と、
該複数の印刷部を制御する印刷制御部と、
該画像読取部によって読取られた画像データを保存する画像データ保存部と、
該複数の印刷部によって印刷される印刷情報に基づいて、保存される該画像データの識別情報を生成する識別情報生成手段とを有することを特徴とする画像読取装置。
【請求項２】
該複数の印刷部によって印刷される複数の印刷情報の中から１つ以上の印刷情報を選択する選択手段を更に有し、該識別情報生成手段は該選択された印刷情報に基づいて保存される該画像データの識別情報を生成することを特徴とする請求項１に記載の画像読取装置。
【請求項３】
搬送される原稿の画像を読取る画像読取部と、
該画像読取部を制御する画像処理部と、
原稿に印刷処理を施す複数の印刷部と、
該複数の印刷部を制御する印刷制御部と、
該画像読取部によって読取られた画像データを保存する画像データ保存部とを有する画像読取装置を制御する制御方法において、
該複数の印刷部によって印刷される印刷情報に基づいて、保存される該画像データの識別情報を生成する工程を備えたことを特徴とする画像読取装置の制御方法。
【請求項４】
該複数の印刷部によって印刷される複数の印刷情報の中から１つ以上の印刷情報を選択する工程と、
該選択された印刷情報に基づいて、保存される該画像データの識別情報を生成する工程とを備えたことを特徴とする請求項３に記載の画像読取装置の制御方法。
【請求項５】
搬送される原稿の画像を読取る画像読取部と、
該画像読取部を制御する画像処理部と、
原稿に印刷処理を施す複数の印刷部と、
該複数の印刷部を制御する印刷制御部と、
該画像読取部によって読取られた画像データを保存する画像データ保存部とを有する画像読取装置を制御する制御プログラムにおいて、
該複数の印刷部によって印刷される印刷情報に基づいて、保存される該画像データの識別情報を生成するステップを該画像読取装置に実行させることを特徴とする画像読取装置の制御プログラム。
【請求項６】
該複数の印刷部によって印刷される複数の印刷情報の中から１つ以上の印刷情報を選択するステップと、
該選択された印刷情報に基づいて、保存される該画像データの識別情報を生成するステップとを該画像読取装置に実行させることを特徴とする請求項５に記載の画像読取装置の制御プログラム。
【手続補正２】
【補正対象書類名】明細書
【補正対象項目名】０００５
【補正方法】変更
【補正の内容】
【０００５】
上記目的を達成するために本発明の画像読取装置は、搬送される原稿の画像を読取る画像読取部と、該画像読取部を制御する画像処理部と、原稿に印刷処理を施す複数の印刷部と、該複数の印刷部を制御する印刷制御部と、該画像読取部によって読取られた画像データを保存する画像データ保存部と、該複数の印刷部によって印刷される印刷情報に基づいて、保存される該画像データの識別情報を生成する識別情報生成手段とを有することを特徴とする。
【手続補正３】
【補正対象書類名】明細書
【補正対象項目名】０００６
【補正方法】変更
【補正の内容】
【０００６】
また、搬送される原稿の画像を読取る画像読取部と、該画像読取部を制御する画像処理部と、原稿に印刷処理を施す複数の印刷部と、該複数の印刷部を制御する印刷制御部と、該画像読取部によって読取られた画像データを保存する画像データ保存部とを有する画像読取装置を制御する制御方法において、該複数の印刷部によって印刷される印刷情報に基づいて、保存される該画像データの識別情報を生成する工程を備えたことを特徴とする。
【手続補正４】
【補正対象書類名】明細書
【補正対象項目名】０００７
【補正方法】変更
【補正の内容】
【０００７】
また、搬送される原稿の画像を読取る画像読取部と、該画像読取部を制御する画像処理部と、原稿に印刷処理を施す複数の印刷部と、該複数の印刷部を制御する印刷制御部と、該画像読取部によって読取られた画像データを保存する画像データ保存部とを有する画像読取装置を制御する制御プログラムにおいて、該複数の印刷部によって印刷される印刷情報に基づいて、保存される該画像データの識別情報を生成するステップを該画像読取装置に実行させることを特徴とする。
【手続補正５】
【補正対象書類名】明細書
【補正対象項目名】発明の名称
【補正方法】変更
【補正の内容】
【発明の名称】画像読取装置、画像読取装置の制御方法及び制御プログラム
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
複数のコンテンツデータに基づいて、複数の映像を表示させる表示制御装置であって、
複数のコンテンツデータのそれぞれを選択する選択手段と、
前記選択手段によりそれぞれ選択された前記複数のコンテンツデータの関連性を判断する判断手段と、
前記判断手段により関連性があると判断された複数の映像を表示させるタイミングを、前記複数のコンテンツデータに含まれる情報に基づいて合わせる調整手段と
を有することを特徴とする表示制御装置。
【請求項２】
前記調整手段は、前記コンテンツデータに含まれる音声データの比較に基づいて、前記関連性があると判断された複数の映像を表示させるタイミングを合わせることを特徴とする請求項１記載の表示制御装置。
【請求項３】
前記調整手段は、前記コンテンツデータに含まれる時刻情報の比較に基づいて、前記関連性があると判断された複数の映像を表示させるタイミングを合わせることを特徴とする請求項１記載の表示制御装置。
【請求項４】
前記判断手段による関連性の判断は、前記コンテンツデータに含まれる、番組を識別するための情報の比較に基づいて行われることを特徴とする請求項１乃至３のうち、いずれか１項記載の表示制御装置。
【請求項５】
前記判断手段による関連性の判断は、前記コンテンツデータに関する情報を記憶した記憶装置から取得される情報に基づいて行われることを特徴とする請求項１乃至４のうち、いずれか１項記載の表示制御装置。
【請求項６】
前記調整手段は、関連性のある複数の映像が表示されている場合、前記複数の映像を表示させるタイミングを繰り返し合わせることを特徴とする請求項１乃至５のうち、いずれか１項記載の表示制御装置。
【請求項７】
前記調整手段は、前記コンテンツデータに含まれる情報に基づいて、前記関連性があると判断されたコンテンツデータに含まれる音声データの再生時刻を合わせる
ことを特徴とする請求項１乃至６のうち、いずれか１項記載の表示制御装置。
【請求項８】
前記複数のコンテンツデータのうち第１のコンテンツデータの音声がスピーカーから出力され、第２のコンテンツデータの音声がヘッドホーンから出力されるように制御する制御手段を有することを特徴とする請求項１乃至７のうち、いずれか１項記載の表示制御装置。
【請求項９】
複数のコンテンツデータに基づいて、それぞれ選択された複数の映像を表示させる表示制御装置が行う表示制御方法であって、
前記それぞれ選択された前記複数のコンテンツデータの関連性を判断する判断工程と、
前記判断工程により関連性があると判断された複数の映像を表示させるタイミングを、前記複数のコンテンツデータに含まれる情報に基づいて合わせる調整工程と
を有することを特徴とする表示制御方法。
【請求項１０】
複数のコンテンツデータに基づいて、それぞれ選択された複数の映像を表示させるコンピュータに、
前記それぞれ選択された前記複数のコンテンツデータの関連性を判断する判断手順と、
前記判断手順により関連性があると判断された複数の映像を表示させるタイミングを、前記複数のコンテンツデータに含まれる情報に基づいて合わせる調整手順と
を実行させることを特徴とするプログラム。
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
映像再生装置と接続可能な映像処理装置であって、
前記映像再生装置から映像データを入力する入力手段と、
入力映像データの補間フレーム画像を生成する補間手段と、
前記補間フレーム画像でフレーム補間された映像データを出力する出力手段とを有し、
前記補間手段は、前記映像再生装置の再生モードが通常再生モードの場合は、前記入力映像データの複数のフレーム画像を用いて補間フレーム画像を生成し、前記映像再生装置の再生モードが特殊再生モードの場合は、前記入力映像データのフレーム画像と同じ補間フレーム画像を生成することを特徴とする映像処理装置。
【請求項２】
前記特殊再生モードは、早送り再生モード、スロー再生モード、コマ送り再生モードのいずれかであることを特徴とする請求項１記載の映像処理装置。
【請求項３】
前記入力映像データの複数のフレーム画像に対する動きベクトルを検出する動きベクトル検出手段をさらに有し、
前記補間手段は、前記映像再生装置の再生モードが通常再生モードの場合は、前記動きベクトル検出手段により検出された動きベクトルに基づいて、前記入力映像データの複数のフレーム画像を用いて補間フレーム画像を生成することを特徴とする請求項２記載の映像処理装置。
【請求項４】
前記動きベクトル検出手段は、前記入力映像データのフレーム画像内の複数のブロックの各々の動きベクトルを検出し、
前記映像処理装置は、
前記動きベクトル検出手段により検出された動きベクトルの信頼性が所定レベルよりも低いブロックが予め定められた数以上あるフレーム画像が連続する場合に、前記映像再生装置の再生モードが早送り再生モードであると判別する特殊再生判別手段をさらに有することを特徴とする請求項３に記載の映像処理装置。
【請求項５】
前記映像処理装置は、
前記動きベクトル検出手段により検出された動きベクトルがゼロであるフレーム画像が連続する場合は、前記映像再生装置の再生モードがスロー再生モードまたはコマ送り再生モードであると判別する特殊再生判別手段をさらに有することを特徴とする請求項３に記載の映像処理装置。
【請求項６】
映像再生装置と接続可能な映像処理装置の制御方法であって、
前記映像再生装置から映像データを入力する入力ステップと、
入力映像データの補間フレーム画像を生成する補間ステップと、
前記補間フレーム画像でフレーム補間された映像データを出力する出力ステップとを有し、
前記補間ステップは、前記映像再生装置の再生モードが通常再生モードの場合は、前記入力映像データの複数のフレーム画像を用いて補間フレーム画像を生成し、前記映像再生装置の再生モードが特殊再生モードの場合は、前記入力映像データのフレーム画像と同じ補間フレーム画像を生成することを特徴とする映像処理装置の制御方法。
【手続補正２】
【補正対象書類名】明細書
【補正対象項目名】００１１
【補正方法】変更
【補正の内容】
【００１１】
上述した課題を解決するために、本発明の映像処理装置は、
映像再生装置と接続可能な映像処理装置であって、
前記映像再生装置から映像データを入力する入力手段と、
入力映像データの補間フレーム画像を生成する補間手段と、
前記補間フレーム画像でフレーム補間された映像データを出力する出力手段とを有し、
前記補間手段は、前記映像再生装置の再生モードが通常再生モードの場合は、前記入力映像データの複数のフレーム画像を用いて補間フレーム画像を生成し、前記映像再生装置の再生モードが特殊再生モードの場合は、前記入力映像データのフレーム画像と同じ補間フレーム画像を生成することを特徴とする。
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
コンテンツと関連付けられた複数のオブジェクトからなるコンテンツリストを提供する情報処理装置であって、
前記コンテンツリストの少なくとも一部が表示される表示部と、
前記コンテンツリストから一の前記オブジェクトを選択するためのカーソルまたは前記オブジェクトの少なくともいずれか一方を操作する操作部と、
ユーザの注目度の高い前記コンテンツである注目コンテンツを特定するための注目情報を記憶する注目情報記憶部と、
前記操作部からの操作入力に基づいて、前記表示部に表示される前記コンテンツリストの表示内容を制御し、前記注目情報記憶部に記憶された前記注目情報に基づいて、前記注目コンテンツと関連付けられた前記オブジェクトの視認性を高めるように前記コンテンツリストの表示を制御する制御部と、
を備えることを特徴とする、情報処理装置。
【請求項２】
前記注目情報記憶部には、視聴時間または録画時間が所定時間以上のコンテンツを特定するための注目情報が自動的に記憶される、請求項１に記載の情報処理装置。
【請求項３】
前記制御部は、前記注目コンテンツと関連付けられた前記オブジェクトが他の前記オブジェクトよりも大きく表示されるように制御することを特徴とする、請求項２に記載の情報処理装置。
【請求項４】
前記表示部には、前記コンテンツリスト全体における前記カーソルの現在位置を示すスケールが表示されており、
前記制御部は、前記スケール上に前記注目コンテンツの位置を示す注目オブジェクトを表示させることを特徴とする、請求項１に記載の情報処理装置。
【請求項５】
前記制御部は、
前記操作部から前記コンテンツリストを同一方向にスクロールする操作が所定時間以上入力されているか否かを判断し、
前記コンテンツリストが同一方向に所定時間以上スクロールされていると判断した場合、前記注目コンテンツが前記カーソル付近に存在するか否かに応じて前記コンテンツリストのスクロール速度を制御することを特徴とする、請求項１に記載の情報処理装置。
【請求項６】
前記操作部は、前記コンテンツリストが同一方向に所定時間以上スクロールされていると判断した場合であって、前記注目コンテンツが前記カーソル付近に存在するとき、前記コンテンツリストのスクロール速度を低速にすることを特徴とする、請求項５に記載の情報処理装置。
【請求項７】
前記制御部は、前記コンテンツリストのスクロール速度に応じて、前記コンテンツリストの表示を変更することを特徴とする、請求項５に記載の情報処理装置。
【請求項８】
前記制御部は、前記操作部から前記コンテンツリストのスクロール方向を転換する操作が入力されたか否かに基づいて、前記コンテンツリストのスクロール速度を制御することを特徴とする、請求項１に記載の情報処理装置。
【請求項９】
前記制御部は、前記コンテンツリストがスクロールされることにより前記各オブジェクトが前記カーソル上を通過した回数に応じて、前記コンテンツリストのスクロール速度を制御することを特徴とする、請求項１に記載の情報処理装置。
【請求項１０】
前記制御部は、
前記操作部から前記コンテンツリストのスクロール終了操作が入力されたときに、前記カーソル付近に前記注目コンテンツが存在するか否かを判断し、
前記カーソル付近に前記注目コンテンツが存在すると判断した場合、前記注目コンテンツに対応する前記オブジェクトが前記カーソル上に位置するように前記コンテンツリストをスクロールさせることを特徴とする、請求項１に記載の情報処理装置。
【請求項１１】
コンテンツと関連付けられた複数のオブジェクトからなるコンテンツリストを提供する情報提供方法であって、
前記コンテンツリストの少なくとも一部を表示部に表示させる表示ステップと、
前記コンテンツリストからカーソルまたは前記オブジェクトの少なくともいずれか一方を移動させ、一の前記オブジェクトを選択するための操作を入力する操作ステップと、
入力された操作入力に基づいて、前記表示部に表示される前記コンテンツリストの表示内容を制御し、ユーザの注目度の高い前記コンテンツである注目コンテンツを特定するための注目情報を記憶する注目情報記憶部に記憶された前記注目情報に基づいて、前記注目コンテンツと関連付けられた前記オブジェクトの視認性を高めるように前記コンテンツリストの表示を制御する制御ステップと、
を含むことを特徴とする、情報提供方法。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
撮像素子と、
前記撮像素子を用いて周期的に被写体を撮像する撮像制御手段と、
前記撮像制御手段により撮像された画像データに基づいて画像評価値を周期的に算出する算出する算出手段と、
前記画像評価値が算出された画像データを記録するか否かを判定するための前記画像評価値に対する閾値を、所定のタイミングからの経過時間に応じて変更する第１の閾値変更手段と、
前記算出手段により算出された画像評価値が前記閾値以上又は閾値以下となったときに前記撮像素子により撮像された画像データを記録する記録制御手段と、
前記記録手段による記録の後、前記閾値を前記所定のタイミング発生時の値に戻すとともに、前記算出手段による算出処理を継続させるよう制御する制御手段と、
を備えたことを特徴とする撮像装置。
【請求項２】
前記画像データには人物の顔画像データが含まれ、
前記画像評価値は、
笑顔評価値であることを特徴とする請求項１記載の撮像装置。
【請求項３】
前記所定のタイミングとは、
自動撮影モードの設定を検出したタイミング、又は、シャッタボタンの半押し操作を検出したタイミングであることを特徴とする請求項１又は２記載の撮像装置。
【請求項４】
前記記録制御手段は、
前記算出手段により算出された画像評価値が、現在の閾値に対して所定の範囲内にある状態の経過時間に応じて、前記撮像素子により撮像された画像データを記録することを特徴とする請求項１乃至３の何れかに記載の撮像装置。
【請求項５】
撮像素子と記録手段とを備えたコンピュータを、
前記撮像素子を用いて周期的に被写体を撮像する撮像制御手段、
前記撮像制御手段により撮像された画像データに基づいて画像評価値を周期的に算出する算出する算出手段、
前記画像評価値が算出された画像データを記録するか否かを判定するための前記画像評価値に対する閾値を、所定のタイミングからの経過時間に応じて変更する第１の閾値変更手段、
前記算出手段により算出された画像評価値が前記閾値以上又は閾値以下となったときに前記撮像素子により撮像された画像データを記録させる記録制御手段、
前記記録手段による記録の後、前記閾値を前記所定のタイミング発生時の値に戻すとともに、前記算出手段による算出処理を継続させるよう制御する制御手段、
として機能させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、撮像素子と、前記撮像素子を用いて周期的に被写体を撮像する撮像制御手段と、前記撮像制御手段により撮像された画像データに基づいて画像評価値を周期的に算出する算出する算出手段と、前記画像評価値が算出された画像データを記録するか否かを判定するための前記画像評価値に対する閾値を、所定のタイミングからの経過時間に応じて変更する第１の閾値変更手段と、前記算出手段により算出された画像評価値が前記閾値以上又は閾値以下となったときに前記撮像素子により撮像された画像データを記録する記録制御手段と、前記記録手段による記録の後、前記閾値を前記所定のタイミング発生時の値に戻すとともに、前記算出手段による算出処理を継続させるよう制御する制御手段と、
を備えたことを特徴とする。
【手続補正３】
【補正対象書類名】明細書
【補正対象項目名】０００７
【補正方法】変更
【補正の内容】
【０００７】
また、請求項２に記載の発明は、請求項１記載の撮像装置であって、前記画像データには人物の顔画像データが含まれ、
前記画像評価値は、
笑顔評価値であることを特徴とする。
【手続補正４】
【補正対象書類名】明細書
【補正対象項目名】０００８
【補正方法】変更
【補正の内容】
【０００８】
また、請求項３に記載の発明は、請求項１又は２記載の撮像装置であって、前記所定のタイミングとは、自動撮影モードの設定を検出したタイミング、又は、シャッタボタンの半押し操作を検出したタイミングであることを特徴とする。
【手続補正５】
【補正対象書類名】明細書
【補正対象項目名】０００９
【補正方法】変更
【補正の内容】
【０００９】
また、請求項４に記載の発明は、請求項１乃至３の何れか記載の撮像装置であって、前記記録制御手段は、前記算出手段により算出された画像評価値が、現在の閾値に対して所定の範囲内にある状態の経過時間に応じて、前記撮像素子により撮像された画像データを記録することを特徴とすることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
上記目的達成のため、請求項５記載の発明は、撮像素子と記録手段とを備えたコンピュータを、前記撮像素子を用いて周期的に被写体を撮像する撮像制御手段、前記撮像制御手段により撮像された画像データに基づいて画像評価値を周期的に算出する算出する算出手段、前記画像評価値が算出された画像データを記録するか否かを判定するための前記画像評価値に対する閾値を、所定のタイミングからの経過時間に応じて変更する第１の閾値変更手段、前記算出手段により算出された画像評価値が前記閾値以上又は閾値以下となったときに前記撮像素子により撮像された画像データを記録させる記録制御手段、前記記録手段による記録の後、前記閾値を前記所定のタイミング発生時の値に戻すとともに、前記算出手段による算出処理を継続させるよう制御する制御手段、として機能させることを特徴とする。
【手続補正１２】
【補正対象書類名】明細書
【補正対象項目名】００１６
【補正方法】変更
【補正の内容】
【００１６】
本発明によれば、撮影された被写体の画像データの記録後に閾値を所定のタイミング発生時の値に戻すので、自動的に被写体の画像データが次々と連続して記録されてしまうという不具合を是正することができる。
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
共鳴光による量子干渉効果を利用した原子発振器であって、
前記共鳴光を出射する光源と、
アルカリ金属原子が封入されたガスセルと、
前記光源からの前記共鳴光を複数の共鳴光に分岐して前記ガスセルに入射させる導光手段と、
前記ガスセルを通過した前記複数の共鳴光をそれぞれ検出する複数の光検出手段と、
前記複数の光検出手段の出力信号を合成する合成手段と、
前記合成手段の出力信号に基づき前記光源を制御する制御手段と、を備えたことを特徴とする原子発振器。
【請求項２】
基板と、
前記基板に前記光源と前記ガスセルと前記複数の光検出手段とを搭載した構成と、
前記導光手段から出射した前記複数の共鳴光が前記基板に沿った方向で前記ガスセルに入射する構成と、
前記ガスセルを通過した前記複数の共鳴光を反射する反射手段と、
前記反射手段によって反射された前記複数の共鳴光が前記複数の光検出手段に入射する構成と、を備えたことを特徴とする請求項１記載の原子発振器。
【請求項３】
前記導光手段が、入射した光を一方の光と他方の光に分岐する分岐手段と、該分岐手段によって分岐された他方の光を反射する反射手段とを少なくとも備えたことを特徴とする請求項２記載の原子発振器。
【請求項４】
前記分岐手段は、ビームスプリッタ、又はハーフミラーであることを特徴とする請求項３に記載の原子発振器。
【手続補正２】
【補正対象書類名】明細書
【補正対象項目名】発明の名称
【補正方法】変更
【補正の内容】
【発明の名称】原子発振器
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
コンテンツ保持部と、特定の相手を登録する登録部と、前記コンテンツ保持部が保持するコンテンツを狭帯域の送信信号に変調する変調部と、前記登録部に登録された相手との関係で前記変調部が変調する送信信号の帯域を調整する制御部と、前記制御部によって調整された送信信号の帯域を記憶する記憶部とを有することを特徴とする情報交換装置。
【請求項２】
前記変調部は、人体に印加して人体に流すための送信信号を出力するよう変調を行うことを特徴とする請求項１記載の情報交換装置。
【請求項３】
前記制御部は、前記登録部に登録されている特定の相手から伝達される帯域を避けて送信信号の帯域を調整することを特徴とする請求項１から２のいずれかに記載の情報交換装置。
【請求項４】
前記制御部によって調整された送信信号の帯域をコンテンツ再生用の情報再生装置に伝達する伝達部を有することを特徴とする請求項１から３のいずれかに記載の情報交換装置。
【請求項５】
前記制御部が調整した帯域とは異なった帯域を設定する設定部と、前記設定部が設定した帯域から前記記憶部が記憶する帯域に復帰させる復帰実行部とを有することを特徴とする請求項１から４のいずれかに記載の情報交換装置。
【請求項６】
コンテンツ保持部、前記コンテンツ保持部が保持するコンテンツを所定帯域の送信信号に変調する変調部、前記変調部が変調する送信信号の帯域を調整する制御部および前記制御部により調整された帯域を外部に伝達する伝達部を持つ情報交換装置と、前記伝達部によって伝達された帯域を記憶する記憶部、前記記憶部が記憶する帯域の送信信号をコンテンツに復調する復調部および前記復調部が復調するコンテンツを再生する再生部を持つ情報再生装置とを有することを特徴とする情報交換システム
【請求項７】
前記変調部は、人体に印加して人体に流すための送信信号を出力するよう変調を行うとともに前記復調部は人体を流れる送信信号を復調することを特徴とする請求項６記載の情報交換装置。
【請求項８】
コンテンツ保持部と、特定の相手を登録する登録部と、前記コンテンツ保持部が保持するコンテンツを人体に印加して人体に流すための送信信号に変調する変調部と、他の人体との接触状態を検出する検出部と、前記検出部の検出に基づきコンテンツの送信を開始する送信制御部とを有することを特徴とする情報交換装置。
【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
人物から読み取られた生体情報と予め記憶された生体情報との類似度を判定する判定手段と、
前記判定手段により類似度が判定された生体情報の人物のうち、当該類似度に応じて決められた人物が撮影されるように撮影手段の撮影方向を制御する制御手段と
を有することを特徴とする撮影処理システム。
【請求項２】
前記制御手段は、
前記判定手段により所定の閾値以上の第１の類似度であると判定された第１の生体情報が読み取られた第１の人物と、前記判定手段により前記第１の類似度よりも高い第２の類似度であると判定された第２の生体情報が読み取られた第２の人物とのうち、前記第１の人物が撮影されるように前記撮影手段の撮影方向を制御する
ことを特徴とする請求項１記載の撮影処理システム。
【請求項３】
前記制御手段は、
前記撮影手段の数に応じて決められる撮影対象者の上限数を示す撮影可能上限値と、各人物から読み取られた生体情報の類似度とに基づいて、前記撮影手段に撮影させる人物を決定する
ことを特徴とする請求項１又は２記載の撮影処理システム。
【請求項４】
前記制御手段は、
前記判定手段により前記所定の閾値以上であると判定される前に前記撮影手段が撮影中の人物の数と、前記撮影手段の数に応じて決められる撮影対象者の上限数を示す撮影可能上限値とが一致する場合であって、当該判定された類似度が、前記撮影中の人物から読み取られた生体情報の類似度よりも低いときには、前記撮影中の人物に代えて当該判定された類似度の生体情報が読み取られた人物が撮影されるように前記撮影手段の撮影方向を制御する
ことを特徴とする請求項２記載の撮影処理システム。
【請求項５】
人物から読み取られた生体情報と予め記憶された生体情報との類似度を判定する判定手段と、
前記判定手段により判定された類似度が、認証の成否を判定するための認証閾値よりも高く、録画するか否かを判定するための録画閾値よりも低い場合、前記類似度の生体情報が読み取られた人物を含む撮影画像の録画を行う制御手段と
を有することを特徴とする撮影処理システム。
【請求項６】
前記制御手段は、
第１の人物から読み取られた第１の生体情報に基づく第１の類似度と、第２の人物から読み取られた第２の生体情報に基づく第２の類似度とのうち、少なくともいずれかが前記認証閾値と前記録画閾値の間である場合、前記録画を行う
ことを特徴とする請求項５記載の撮影処理システム。
【請求項７】
前記制御手段は、
前記判定手段により判定された類似度に応じて、前記録画時のフレームレートと画質のうち少なくともいずれかを変更する
ことを特徴とする請求項５又は６記載の撮影処理システム。
【請求項８】
前記制御手段は、
前記判定手段により判定された類似度に応じて、当該類似度が判定されてからの録画時間を決定する
ことを特徴とする請求項５又は６記載の撮影処理システム。
【請求項９】
撮影処理システムの制御方法であって、
判定手段が、人物から読み取られた生体情報と予め記憶された生体情報との類似度を判定する工程と、
制御手段が、前記判定手段により類似度が判定された生体情報の人物のうち、当該類似度に応じて決められた人物が撮影されるように撮影手段の撮影方向を制御する工程と
を有することを特徴とする撮影処理システムの制御方法。
【請求項１０】
コンピュータを、
人物から読み取られた生体情報と予め記憶された生体情報との類似度を判定する判定手段、
前記判定手段により類似度が判定された生体情報の人物のうち、当該類似度に応じて決められた人物が撮影されるように撮影手段の撮影方向を制御する制御手段
として機能させるためのプログラム。
【請求項１１】
人物から読み取られた生体情報と予め記憶された生体情報との類似度を判定する判定手段と、
前記判定手段により類似度が判定された生体情報の人物のうち、当該類似度に応じて決められた人物が撮影されるように撮影手段の撮影方向を制御する制御手段と
を有することを特徴とする管理サーバ。
【請求項１２】
人物から読み取られた生体情報と予め記憶された生体情報との類似度を判定する判定手段と、
前記判定手段により判定された類似度が、認証の成否を判定するための認証閾値よりも高く、録画するか否かを判定するための録画閾値よりも低い場合、前記類似度の生体情報が読み取られた人物を含む撮影画像の録画を行う制御手段と
を有することを特徴とする管理サーバ。
【手続補正２】
【補正対象書類名】明細書
【補正対象項目名】発明の名称
【補正方法】変更
【補正の内容】
【発明の名称】撮影処理システム及び方法、管理サーバ及びプログラム
【手続補正３】
【補正対象書類名】明細書
【補正対象項目名】００１２
【補正方法】変更
【補正の内容】
【００１２】
上記目的を達成するため、本発明の一態様は、人物から読み取られた生体情報と予め記憶された生体情報との類似度を判定する判定手段と、前記判定手段により類似度が判定された生体情報の人物のうち、当該類似度に応じて決められた人物が撮影されるように撮影手段の撮影方向を制御する制御手段とを有することを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
音声を含むマルチメディア通信の制御にＳＩＰ（Ｓｅｓｓｉｏｎ  Ｉｎｉｔｉａｔｉｏｎ  Ｐｒｏｔｏｃｏｌ）を利用するＩＭＳ［ＩＰ（Ｉｎｔｅｒｎｅｔ  Ｐｒｏｔｏｃｏｌ）  Ｍｕｌｔｉｍｅｄｉａ  Ｓｕｂｓｙｓｔｅｍ］ノード装置であって、
隣接するノード装置に対してヘルスチェックを実施するヘルスチェック手段と、前記ヘルスチェック手段によるヘルスチェックの結果に基づいて前記隣接するノード装置の障害状態を認識する認識手段とを有することを特徴とするＩＭＳノード装置。
【請求項２】
前記ヘルスチェック手段は、ＳＩＰ  ＯＰＴＩＯＮＳメソッドによるヘルスチェックを実施することを特徴とする請求項１記載のＩＭＳノード装置。
【請求項３】
前記認識手段は、前記隣接するノード装置において、ユーザからの発信サービス要求時及びユーザへの着信要求時に発着信サービスが提供できない状態であることを認識することを特徴とする請求項１または請求項２記載のＩＭＳノード装置。
【請求項４】
前記認識手段で前記隣接するノード装置の障害状態を検出した時に再レジストレーションによる迂回制御を行う再レジストレーション手順実施手段を含むことを特徴とする請求項１から請求項３のいずれか記載のＩＭＳノード装置。
【請求項５】
上記の請求項１から請求項４のいずれかに記載のＩＭＳノード装置を含むことを特徴とするＩＭＳネットワーク。
【請求項６】
音声を含むマルチメディア通信の制御にＳＩＰ（Ｓｅｓｓｉｏｎ  Ｉｎｉｔｉａｔｉｏｎ  Ｐｒｏｔｏｃｏｌ）を利用する複数のＩＭＳ［ＩＰ（Ｉｎｔｅｒｎｅｔ  Ｐｒｏｔｏｃｏｌ）  Ｍｕｌｔｉｍｅｄｉａ  Ｓｕｂｓｙｓｔｅｍ］ノード装置各々が、
隣接するノード装置に対してヘルスチェックを実施するヘルスチェック処理と、前記ヘルスチェック手段によるヘルスチェックの結果に基づいて前記隣接するノード装置の障害状態を認識する認識処理とを行うことを特徴とするサービス提供方法。
【請求項７】
前記ヘルスチェック処理において、ＳＩＰ  ＯＰＴＩＯＮＳメソッドによるヘルスチェックを実施することを特徴とする請求項６記載のサービス提供方法。
【請求項８】
前記認識処理において、前記隣接するノード装置において、ユーザからの発信サービス要求時及びユーザへの着信要求時に発着信サービスが提供できない状態であることを認識することを特徴とする請求項６または請求項７記載のサービス提供方法。
【請求項９】
前記複数のＩＭＳノード装置が、前記認識手段で前記隣接するノード装置の障害状態を検出した時に再レジストレーションによる迂回制御を行う再レジストレーション手順実施処理を実行することを特徴とする請求項６から請求項８のいずれか記載のサービス提供方法。
【請求項１０】
前記複数のＩＭＳノード装置が、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）及びＳ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）のいずれかであり、呼制御を行う前記Ｓ−ＣＳＣＦ及びＡＳ（Ａｐｐｌｉｃａｔｉｏｎ  Ｓｅｒｖｅｒ）の障害状態を検出することを特徴とする請求項６から請求項９のいずれか記載のサービス提供方法。
【手続補正２】
【補正対象書類名】明細書
【補正対象項目名】００１９
【補正方法】変更
【補正の内容】
【００１９】
本発明によるＩＭＳノード装置は、音声を含むマルチメディア通信の制御にＳＩＰ（Ｓｅｓｓｉｏｎ  Ｉｎｉｔｉａｔｉｏｎ  Ｐｒｏｔｏｃｏｌ）を利用するＩＭＳ［ＩＰ（Ｉｎｔｅｒｎｅｔ  Ｐｒｏｔｏｃｏｌ）  Ｍｕｌｔｉｍｅｄｉａ  Ｓｕｂｓｙｓｔｅｍ］ノード装置であって、
隣接するノード装置に対してヘルスチェックを実施するヘルスチェック手段と、前記ヘルスチェック手段によるヘルスチェックの結果に基づいて前記隣接するノード装置の障害状態を認識する認識手段とを備えている。
【手続補正３】
【補正対象書類名】明細書
【補正対象項目名】００２０
【補正方法】変更
【補正の内容】
【００２０】
本発明によるＩＭＳネットワークは、上記のＩＭＳノード装置を含むことを特徴とする。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
画面を表示する表示手段と、
前記表示手段の画面に対するタッチ操作を検出可能なタッチ検出手段と、
前記表示手段とは異なる位置に配置され、ユーザによって操作される複数の操作部材と、
前記タッチ検出手段によって前記画面の特定の位置に対するタッチ操作が検出された際、前記複数の操作部材のうち、前記タッチ操作されているタッチ位置に対応付けられた操作部材による操作を無効にする操作無効制御を行う制御手段とを有することを特徴とする撮像装置。
【請求項２】
前記特定の位置は、前記画面の外周に沿って設定された領域に位置付けられていることを特徴とする請求項１に記載の撮像装置。
【請求項３】
前記画面に設定された複数の領域の各々に対して、前記複数の領域の各々から最も近い位置に配置された操作部材が対応づけられており、
前記制御手段は、前記タッチ操作されているタッチ位置が含まれる領域に対応付けられた操作部材による操作を無効にするように前記操作無効制御を行うことを特徴とする請求項１に記載の撮像装置。
【請求項４】
複数の動作モードのうち何れかの動作モードに設定する動作モード設定手段を更に有し、
前記制御手段は、前記動作モード設定手段で特定の動作モードに設定されている場合に前記操作無効制御を行い、前記特定の動作モードに設定されていない場合には前記タッチ検出手段で検出されたタッチ位置に対応付けられた操作部材による操作を無効としないことを特徴とする請求項１乃至３の何れか１項に記載の撮像装置。
【請求項５】
前記制御手段は、前記タッチ検出手段で特定のタッチ操作を検出した場合に前記操作無効制御を行い、前記特定のタッチ操作を検出していない場合には前記タッチ検出手段で検出されたタッチ位置に対応付けられた操作部材による操作を無効としないことを特徴とする請求項１乃至３の何れか１項に記載の撮像装置。
【請求項６】
前記特定のタッチ操作は、前記画面の外周に沿って設定された領域に対するタッチ操作であることを特徴とする請求項５に記載の撮像装置。
【請求項７】
前記特定のタッチ操作は、前記画面において互いに隣接した複数の領域に対して同時にタッチされたことが検出されるタッチ操作であることを特徴とする請求項５または６に記載の撮像装置。
【請求項８】
前記特定のタッチ操作は、前記画面において複数領域に対して同時にタッチされたことが検出されるタッチ操作であることを特徴とする請求項５又は６に記載の撮像装置。
【請求項９】
前記複数の操作部材は、複数の押し釦であることを特徴とする請求項１乃至８の何れか１項に記載の撮像装置。
【請求項１０】
画像を撮像する撮像手段を更に有することを特徴とする請求項１乃至９の何れか１項に記載の撮像装置。
【請求項１１】
接眼ファインダーを更に有することを特徴とする請求項１乃至１０の何れか１項に記載の撮像装置。
【請求項１２】
画面を表示する表示部と、前記表示部の画面に対するタッチ操作を検出可能なタッチ検出部と、前記表示部とは異なる位置に配置され、ユーザによって操作される複数の操作部材とを備える撮像装置の制御方法であって、
前記タッチ検出部によって前記画面の特定の位置に対するタッチ操作が検出する検出ステップと、
前記検出ステップで前記画面の特定の位置に対するタッチ操作が検出されると、前記複数の操作部材のうち、前記タッチ操作されているタッチ位置に対応付けられた操作部材による操作を無効にする操作無効制御を行う制御ステップとを有することを特徴とする制御方法。
【請求項１３】
コンピュータを、請求項１乃至１１のいずれか１項に記載された撮像装置の各手段として機能させるプログラム。
【請求項１４】
コンピュータを、請求項１乃至１１のいずれか１項に記載された撮像装置の各手段として機能させるプログラムを格納したコンピュータが読み取り可能な記憶媒体。
【手続補正２】
【補正対象書類名】明細書
【補正対象項目名】発明の名称
【補正方法】変更
【補正の内容】
【発明の名称】撮像装置、その制御方法、およびプログラム、並びに記録媒体
【手続補正３】
【補正対象書類名】明細書
【補正対象項目名】０００１
【補正方法】変更
【補正の内容】
【０００１】
本発明は、タッチパネルを有する撮像装置、その制御方法、およびプログラム、並びに記録媒体に関するものである。
【手続補正４】
【補正対象書類名】明細書
【補正対象項目名】００１２
【補正方法】変更
【補正の内容】
【００１２】
本発明の目的は、タッチパネルの誤操作と操作釦の誤操作を防止することができる撮像装置、その制御方法、およびプログラム、並びに記録媒体を提供することにある。
【手続補正５】
【補正対象書類名】明細書
【補正対象項目名】００１３
【補正方法】変更
【補正の内容】
【００１３】
上記目的を達成するために、本発明の撮像装置は、画面を表示する表示手段と、前記表示手段の画面に対するタッチ操作を検出可能なタッチ検出手段と、前記表示手段とは異なる位置に配置され、ユーザによって操作される複数の操作部材と、前記タッチ検出手段によって前記画面の特定の位置に対するタッチ操作が検出された際、前記複数の操作部材のうち、前記タッチ操作されているタッチ位置に対応付けられた操作部材による操作を無効にする操作無効制御を行う制御手段とを有することを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
本発明によれば、タッチパネルの誤操作と操作釦などの操作部材の誤操作を防止することができる。
【手続補正１１】
【補正対象書類名】明細書
【補正対象項目名】００７９
【補正方法】削除
【補正の内容】
【手続補正１２】
【補正対象書類名】明細書
【補正対象項目名】００８０
【補正方法】削除
【補正の内容】
【手続補正１３】
【補正対象書類名】明細書
【補正対象項目名】００８１
【補正方法】削除
【補正の内容】
【手続補正１４】
【補正対象書類名】明細書
【補正対象項目名】００８２
【補正方法】削除
【補正の内容】
【手続補正１５】
【補正対象書類名】明細書
【補正対象項目名】００８３
【補正方法】削除
【補正の内容】
【手続補正１６】
【補正対象書類名】明細書
【補正対象項目名】００８４
【補正方法】削除
【補正の内容】
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
酸化物半導体から成る半導体層に相対してゲート絶縁膜を介してゲート電極が設けられ、該半導体層にソース電極及びドレイン電極が接続された光センサー素子において、
前記半導体層での受光量を、ゲート電圧に対して不揮発的に変化したドレイン電流値として読み出す光センサー素子。
【請求項２】
前記ドレイン電流値の読み出しは、前記半導体層が受光する前の初期状態におけるしきい値電圧以下でかつ受光時の電圧以上のゲート電圧で行う請求項１に記載の光センサー素子。
【請求項３】
前記半導体層での受光前に、前記ゲート電圧に対する前記ドレイン電流を前記半導体層が受光する前の初期状態に戻すリセット動作を行う請求項１に記載の光センサー素子。
【請求項４】
前記リセット動作として、前記ソース電極とドレイン電極とをショートさせた状態でゲート電極に正電圧を印加するか、又は、半導体層を加熱する請求項３に記載の光センサー素子。
【請求項５】
前記加熱は、ソース電極−ドレイン電極間に電流を流すことによって行う請求項４に記載の光センサー素子。
【請求項６】
酸化物半導体から成る半導体層に相対してゲート絶縁膜を介してゲート電極が設けられ、該半導体層にソース電極及びドレイン電極が接続された光センサー素子を搭載した撮像装置において、
前記半導体層での受光量を、ゲート電圧に対して不揮発的に変化したドレイン電流値として読み出す撮像装置。
【請求項７】
酸化物半導体から成る半導体層に相対してゲート絶縁膜を介してゲート電極が設けられ、該半導体層にソース電極及びドレイン電極が接続された光センサー素子を搭載した電子機器において、
前記半導体層での受光量を、ゲート電圧に対して不揮発的に変化したドレイン電流値として読み出す電子機器。
【請求項８】
前記ドレイン電流値の読み出しは、前記半導体層が受光する前の初期状態におけるしきい値電圧以下でかつ受光時の電圧以上のゲート電圧で行う請求項７に記載の電子機器。
【請求項９】
前記半導体層での受光前に、前記ゲート電圧に対する前記ドレイン電流を前記半導体層が受光する前の初期状態に戻すリセット動作を行う請求項７に記載の電子機器。
【請求項１０】
前記リセット動作として、前記ソース電極とドレイン電極とをショートさせた状態でゲート電極に正電圧を印加するか、または半導体層を加熱する請求項９に記載の電子機器。
【請求項１１】
前記加熱は、ソース電極−ドレイン電極間に電流を流すことによって行う請求項１０に記載の電子機器。
【請求項１２】
酸化物半導体から成る半導体層に相対してゲート絶縁膜を介してゲート電極が設けられ、該半導体層にソース電極及びドレイン電極が接続されたメモリー素子において、
前記半導体層での受光量を、ゲート電圧に対して不揮発的に変化したドレイン電流値として読み出すメモリー素子。
【請求項１３】
前記ドレイン電流値の読み出しは、前記半導体層が受光する前の初期状態におけるしきい値電圧以下でかつ受光時の電圧以上のゲート電圧で行う請求項１２に記載のメモリー素子。
【請求項１４】
前記半導体層での受光前に、前記ゲート電圧に対する前記ドレイン電流を前記半導体層が受光する前の初期状態に戻すリセット動作を行う請求項１２に記載のメモリー素子。
【請求項１５】
前記リセット動作として、前記ソース電極とドレイン電極とをショートさせた状態でゲート電極に正電圧を印加するか、または半導体層を加熱する請求項１４に記載のメモリー素子。
【請求項１６】
前記加熱は、ソース電極−ドレイン電極間に電流を流すことによって行う請求項１５に記載のメモリー素子。
【請求項１７】
酸化物半導体から成る半導体層に相対してゲート絶縁膜を介してゲート電極が設けられ、該半導体層にソース電極及びドレイン電極が接続されたメモリー素子を搭載した電子機器において、
前記メモリー素子は、前記半導体層での受光量を、ゲート電圧に対して不揮発的に変化したドレイン電流値として読み出す電子機器。